【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
使用者のためのアナトミック座りリセス（２０）のための支持構体（２２）を包含し、この支持構体（２２）が腰掛け具（１４）の上に載せられていると共に前記リセス（２０）がその少なくともひとつの端で前記支持構体（２２）に枢着（２４）され、前記リセス（２０）を前記支持構体（２２）に関して傾斜させるためのリフティング手段（３０，３２，３４，３６，３８，４０，４２，４４）を備えている取外し可能なアナトミックシート（１０）において、前記リフティング手段（３０，３２，３４，３８，３６，４０，４２，４４）がシャフト（３０）を包含し、このシャフト（３０）がその下方端（３２）で前記リセス（２０）にまたその反対側の端で小さいブロック（３６）に回転可能に接続され、前記小さいブロック（３６）が前記支持構体（２２）と一体のガイド（３８）上を滑動できることを特徴とするシート。
【請求項２】
請求項１記載のシート（１０）において、前記シャフト（３０）と前記小さいブロック（３６）との間及び前記シャフト（３０）と前記リセス（２０）との間の前記接続の少なくともひとつが取外し可能な方法で施されていることを特徴とするシート。
【請求項３】
請求項１又は２記載のシート（１０）において、前記ガイド（３８）が前記支持構体（２０）と前記リセス（２０）との間の枢着部（２４）の軸線に対して垂直の方向（Ｘ）にしたがって延びており、また前記小さいブロック（３６）がねじ穴（４０）を有し、このねじ穴（４０）が同じ前記方向（Ｘ）に設けられていると共にねじ（４２）と組み合い、このねじ（４２）もまた同じ前記方向（Ｘ）に沿って配置されていると共にこのねじの回転を容易にするためのハンドル（４４）を備えていることを特徴とするシート。
【請求項４】
請求項１記載のシート（１０）において、前記支持構体（２２）が安定した位置決め手段（２６，２８）を介して前記腰掛け具（１４）に固定されていることを特徴とするシート。
【請求項５】
請求項４記載のシート（１０）において、前記安定した位置決め手段（２６，２８）がベルト（２６）とバックル（２８）とから成ることを特徴とするシート。
【請求項６】
請求項１記載のシート（１０）において、前記腰掛け具（１４）がいす（１４）であり、このいす（１４）が水平座台（１２）と、４本の脚（１３）と、背もたれ（１６）とを備えていることを特徴とするシート。
【請求項７】
請求項６記載のシート（１０）において、前記支持構体（２２）が４つの側部を有して前記いす（１４）の座台（１２）を覆うベース（２３）を包含し、このベース（２３）上には前記いす（１４）の４本の脚（１３）に対応して４つの支持体（２５）が配設され、前記背もたれ（１６）と反対側にある２つの正面支持体（２５）が前記座りリセス（２０）に回転可能に接続（２４）されていることを特徴とするシート。
【請求項８】
請求項１記載のシート（１０）において、前記リセス（２０）が前記少なくともひとつの端の近くであってかつ前記リセス（２０）の中央横位置に上向きに突出する要素、すなわち隆起部分（２１）を備えていることを特徴とするシート。
【請求項９】
請求項８記載のシート（１０）において、前記隆起部分（２１）が布張りされていることを特徴とするシート。
【請求項１０】
請求項１記載のシート（１０）において、前記リセス（２０）がその上面に使用者の前方への滑りを制限するための高い摩擦係数区域を有することを特徴とするシート。
【手続補正２】
【補正対象書類名】明細書
【補正対象項目名】全文
【補正方法】変更
【補正の内容】
【発明の詳細な説明】
【発明の名称】取外し可能なアナトミックシート
【技術分野】
【０００１】
本発明は、取外し可能なアナトミックシート（an anatomic seat）に関する。
【背景技術】
【０００２】
シートの分野において、アーゴノミック特徴、すなわち使用者に与える疲労が少ない特徴はシートの設計において常に非常に重要なことである。
【０００３】
このような見地は、本質的に、長い時間の間座っていなければならない使用者のために用いられるシートの場合に強調される。
【０００４】
長い時間の間座っている姿勢は、背中の痛み及び他の筋肉−骨部位の痛みを生じさせる恐れがある。
【０００５】
もしシート上でとられている姿勢が生理学的に適正でない場合には、立っている姿勢と比べて脊髄円盤上への圧力が増大する。これは、圧力が腰柱上に長く加わっている静荷重と関連させられるからである。
【０００６】
このようなことから最もひんぱんに生じる症候は、腰痛、頸椎痛及び胸帯痛である。
【０００７】
したがって、幾つかのシートには、特にシート及び背もたれの位置に関して使用者が形態学的に適応できるようにする調整装置が設けられている。
【０００８】
骨盤の位置は、身体の静止姿勢を決めるうえで必要不可欠なものである。
【０００９】
もし骨盤が前方へ傾けられた場合には、正しい頭−胴−骨盤整列を維持することは容易である。
【００１０】
当分野において、可能の限り直立姿勢に近い姿勢をとらなければならない正しい背部姿勢を使用者がとることができるようにした特殊のシートは存在している。
【００１１】
一般に、このようなシートは、前へ傾くことができるシートであって、使用者の足の下方部分、例えばひざを支持する装置を備えている。
【００１２】
可傾式シートは、背部の正しい姿勢をとることを助ける。また、支持装置は脊髄に加わる重さの一部分を使用者の下肢に解放させるようにする。それにもかかわらず、このようなシートは非常に重く、それ故運送するのが困難である。
【００１３】
更に、シートの傾き調整が非常に正確ではなく、使用者の下肢が所定の位置をとりつづけることを強いられる。
【００１４】
ＵＳ−Ａ−５９１８９３６は、使用者のためのアナトミック座りリセスのための支持構体を包含し、この支持構体が腰掛け具の上に載せられていると共に前記リセスがその少なくともひとつの端で前記支持構体に枢着され、前記リセスを前記支持構体に関して傾斜させるためのリフティング手段を備えている取外し可能なアナトミックシートを開示している。
【発明の開示】
【発明が解決しようとする課題】
【００１５】
本発明の目的は、したがって、上述した欠点を除去すること、特に、いすのアーゴノミックス、すなわち使用者に与える疲労の減少を改善することができる取外し可能なアナトミックシートを実現することにある。
【００１６】
本発明の他の目的は、使用者の形態特徴、すなわち姿勢のために最適な傾きに正確に調整することができる取外し可能なアナトミックシートを実現することにある。
【００１７】
本発明の更に他の目的は、特に、比較的低コストで信頼があって簡単であり、かつ機能的である取外し可能なアナトミックシートを実現することにある。
【課題を解決するための手段】
【００１８】
本発明のこれらの目的は、使用者のためのアナトミック座りリセスのための支持構体を包含し、この支持構体が腰掛け具の上に載せられていると共に前記リセスがその少なくともひとつの端で前記支持構体に枢着され、前記リセスを前記支持構体に関して傾斜させるためのリフティング手段を備えている取外し可能なアナトミックシートにおいて、前記リフティング手段がシャフトを包含し、このシャフトがその下方端で前記リセスにまたその反対側の端で小さいブロックに回転可能に接続され、前記小さいブロックが前記支持構体と一体のガイド上を滑動できることを特徴とするシートを実現することにより達成される。
【００１９】
好適には、本発明は次に述べるような特徴を有する。
【００２０】
前記シャフトと前記小さいブロックとの間及び前記シャフトと前記リセスとの間の前記接続の少なくともひとつは、取外し可能な方法で施されている。
【００２１】
前記ガイドは前記支持構体と前記リセスとの間の枢着部の軸線に対して垂直の方向にしたがって延びており、また前記小さいブロックはねじ穴を有し、このねじ穴は同じ前記方向に設けられていると共にねじと組み合い、このねじもまた同じ前記方向に沿って配置されていると共にこのねじの回転を容易にするためのハンドルを備えている。
【００２２】
前記支持構体は、安定した位置決め手段を介して前記腰掛け具に固定されている。
【００２３】
前記安定した位置決め手段は、ベルトとバックルとから成る。
【００２４】
前記腰掛け具はいすであり、このいすは水平座台と、４本の脚と、背もたれとを備えている。
【００２５】
前記支持構体は４つの側部を有して前記いすの座台を覆うベースを包含し、このベース上には前記いすの４本の脚に対応して４つの支持体が配設され、前記背もたれと反対側にある２つの正面支持体は前記座りリセスに回転可能に接続されている。
【００２６】
前記リセスは、前記少なくともひとつの端の近くであってかつ前記リセスの中央横位置に上向きに突出する要素、すなわち隆起部分を備えている。
【００２７】
前記隆起部分は、布張りされている。
【００２８】
前記リセスは、その上面に使用者の前方への滑りを制限するための高い摩擦係数区域を有する。
【発明を実施するための最良の形態】
【００２９】
本発明による取外し可能なシートの特徴及び利点は、添付図面を参照して一例として限定する目的でなく述べられている下記の説明から明らかになるであろう。
【００３０】
好適な実施例に関する下記の説明は、本発明による取外し可能なアナトミックシートをいすに適用していることに言及していることを留意すべきである。
【００３１】
選択的に、有益には、本発明の対象物である取外し可能なアナトミックシートは、例えばひじ掛けいす及び腰掛けのような他の種類の腰掛け具のためにも用いることができる。
【００３２】
図面を参照するに、符号１０により総括的に示されている取外し可能なシートは、いす１４の水平座台１２の上面上に載せられている。いす１４は、その背部に背もたれ１６を備えている。
【００３３】
ここに例示した例において、本発明によれば、アナトミックシート１０はアナトミック座りリセス２０を包含し、このリセスは構体２２により支持されている。
【００３４】
アナトミックリセス２０は、使用者が座り心地よく座ることができるような形状とされている。このリセス２０は、その正面中央位置に、上向きに突出する要素、すなわち隆起部分２１を備えている。
【００３５】
図面に示される例において、構体２０は例えば４つの側部を有するベース２３を包含し、このベース２３はいす１４の座台１２を覆っている。
【００３６】
例えば４つの支持体２５が、いす１４の４本の脚１３に対応して配設されている。いす１４の背もたれ１６と反対側にある２つの正面支持体２５は、符号２４で示すところで座りリセス２０に回転可能に接続されている。
【００３７】
また、構体２２は例えばベルト２６のような安定した位置決め手段を介していす１４に固定されており、ベルト２６は一般にはいす１４の座台１２の下でバックル２８を用いて閉じループとされる。
【００３８】
座りリセス２０は、リフティング手段を介して、構体２２の水平支持体に関して傾斜させることができる。
【００３９】
このようなリフティングはシャフト３０の移動でもって生じさせられ、シャフト３０はその下方端３２でアナトミックリセス２０の中央に、より詳細には中央区域に、又はどんな場合でも正面支持体２５には接近しないようにして、回転可能に接続されている。この接続は、有益には、例えばピンを介して迅速に取外し可能とすることができる。
【００４０】
シャフト３０は、端３２とは反対側の端３４で小さいブロック３６に回転可能に接続されている。この接続は、有益には、例えばピンを介して迅速に取外し可能とすることができる。
【００４１】
図５に見ることができるように、この小さいブロック３６は構体２２内でガイド３８上を滑動することができ、このガイドは背もたれ１６に対して垂直の方向Ｘにしたがって延びている。また、小さいブロック３６は前記方向Ｘに設けられたねじ穴４０を有し、このねじ穴は同じ前記方向Ｘに沿って配置されているねじ４２と組み合っている。ねじ４２は、アナトミックシート１０の正面部に位置しているハンドル４４を備えている。
【００４２】
本発明による取外し可能なアナトミックシートの作動は、図面を参照して上述した説明から明らかであるが、簡単に述べれば次のとおりである。
【００４３】
構体２２のベース２３は、いす１４の座台１２に固定されている。
【００４４】
２つの正面支持体２５に符号２４で示すところで枢着されている座りリセス２０は、２つの背面支持体２５上に水平に載せられている。
【００４５】
図１に見ることができるように、小さいブロック３６は２つの正面支持体２５に近い一方の側に位置させられ、これにより、小さいブロック３６に接続されているシャフト３０は、実質的に水平状態である。
【００４６】
ねじ４２のハンドル４４を回転させることにより、小さいブロック３６は背もたれ１６に向かって移動させられる。この方法でもって、シャフト３０はアナトミックリセス２０を上向きに押し、リセス２０を水平面に関して傾斜せしめる。
【００４７】
有益には、約３０°の傾斜が達せられるが、実際には傾斜は無限に変化させることができるものである。例えば、ハンドル４４を毎日毎日回転させることにより、傾斜を漸進的に変えることができる。
【００４８】
座りリセス２０は、その上面に高摩擦係数区域を有して使用者が前方へつるりとすべるのを制限する。また、適当に布張りした中央隆起部分２１も、また、同じ目的のために用いられる。
【００４９】
座りリセス２０の正面縁及び側面縁は、適当にサンド（sand）、すなわちみがかれている。
【００５０】
小さいブロック３６とシャフト３０との間及び／又はシャフト３０とリセス２０との間に施した取外し可能な接続は、いつでも、セットした最適な傾斜から水平位置への移行又はその逆の移行を許し、これは、正確には、シャフト３０と小さいブロック３６との間及び／又はシャフト３０とリセス２０との間の接続を簡単に取外し、接続をそれぞれ再び確立させることによりなされる。
【００５１】
上述した説明から、本発明の対象物である取外し可能なシートの特徴は明らかであり、同様にその関連する利点も明らかであるが、とりわけ次のような特徴及び利点がある。
−簡単でかつ信頼のある使用
−小型化及び軽量化
−実際に従来のシートのすべてに適応できること
−運送が簡単であること
−傾斜を非常に正確に調整できること
−たとえ不正確に取付けた後でも、セットした傾斜を維持できること
−使用者の要求に合うように、セットした傾斜位置から水平位置への移行及びその逆の移行をすぐに行うことができること
−使用者が下肢を動かすのが自由であること
−得られる利点に関連して、従来技術と比べてコストが低いこと
【００５２】
最後に、以上述べた取外し可能なアナトミックシートは多数の変化及び変形が可能であり、これらのすべてが本発明により保護されるものであることは明らかである。また、詳部のすべては技術的に等価な要素に置換できるものである。実際に、形状及び寸法に加えて、使用する材料は技術的要求にしたがってどのようなものにすることができる。
【００５３】
したがって、本発明の保護の範囲は特許請求の範囲により限定されるものである。
【図面の簡単な説明】
【００５４】
【図１】本発明による取外し可能なアナトミックシートを備えているいすの側面図であって、シートは水平状態である。
【図２】図１のいすの正面図である。
【図３】図１の取外し可能なアナトミックシートを備えているいすの側面図であって、シートは傾斜状態となっている。
【図４】図３のいすの正面図である。
【図５】図１の取外し可能なアナトミックシートを備えているいすを、図１のＶ−Ｖ線にしたがって、上から見た平面図であって、アナトミック座りリセスは取り除かれている。